(57)【要約】【課題】 プリント処理の開始前に、読み取った画像コマのモアレを発見できる画像読み取り装置を提供する。【解決手段】 デジタルラボシステムでは、写真フイルムに記録された画像コマをＣＣＤイメージセンサで読み取ると、読み取った画像コマの縮小画像を１画面に６コマずつ配列した検定画面がディスプレイに表示される。縮小画像を見て、格子縞などモアレ発生が懸念される画像コマを選択してモアレ確認ボタンをクリックすると、モアレ確認画面７１が表示される。モアレ確認画面７１には、ディスプレイ上でモアレ発生の有無を確認することができるように、表示枠７２に、選択された画像コマが１００％の表示倍率で拡大表示される。モアレ発生が確認された場合には、モアレ回避スキャン実行ボタン７６をクリックすると、モアレ回避スキャンが実行される。【選択図】        図３
2006074234.tif 000002
【特許請求の範囲】
【請求項１】
写真フイルムに記録された画像コマを光電的に読み取る光電変換手段と、この光電変換手段によって得られた画像データに基づいて前記画像コマの縮小画像を表示するディスプレイとを備えた画像読み取り装置において、
前記画像データに基づいて前記画像コマをプリントしたときにプリント上にモアレが発生するか否かを前記ディスプレイ上で確認するために、前記ディスプレイに表示された前記縮小画像の中から選択された画像コマについて、１００％の整数倍の表示倍率で拡大表示させる拡大表示指示手段と、
拡大表示した画像コマにモアレが発生している場合に、当該画像コマについて、前記光電変換手段によるモアレ回避スキャンの実行を指示する再読み取り実行指示手段とを備えたことを特徴とする画像読み取り装置。
【請求項２】
前記拡大表示指示手段及び再読み取り実行指示手段は、前記ディスプレイに表示される操作画面内に設けられる操作ボタンであることを特徴とする請求項１記載の画像読み取り装置。
【請求項３】
前記拡大表示は、予め大きさが決められた表示枠内に指定された画像コマを部分的に表示することにより行われるものであり、前記表示枠内に最初に表示される領域を、前記拡大表示がなされる前に指定する領域指定手段が設けられることを特徴とする請求項１又は２記載の画像読み取り装置。
【請求項４】
前記領域指定手段は、前記操作画面に表示され、前記縮小画像の画面の一部を指定するポインタであることを特徴とする請求項１〜３いずれか記載の画像読み取り装置。
【請求項５】
複数の画像コマについて前記縮小画像が並べて配列される検定画面が前記ディスプレイに表示され、この検定画面から選択された画像コマについて拡大表示指示が行われると、前記ディスプレイには、前記表示枠及び前記再読み取り実行指示手段が含まれるモアレ確認画面が表示されることを特徴とする請求項３又は４記載の画像読み取り装置。
【請求項６】
前記光電変換手段は、その受光面と平行な２次元面内で移動自在に取り付けられており、前記モアレ回避スキャンでは、前記光電変換手段を移動させることにより異なる複数の位置で読み取りを行い、各回の読み取りで得られた複数の画像データが合成されることを特徴とする請求項１〜５いずれか記載の画像読み取り装置。
【請求項７】
前記モアレ確認画面には、前記光電変換手段の移動量または画素ずらし回数を指定する指定部が設けられることを特徴とする請求項６記載の画像読み取り装置。
【発明の詳細な説明】
【技術分野】
【０００１】
写真フイルムに記録された画像コマを読み取る画像読み取り装置に関するものである。
【背景技術】
【０００２】
写真フイルムに光を照射して、その透過光をＣＣＤイメージセンサなどの撮像手段で受光して光電変換することにより、写真フイルムに記録された画像コマを読み取って、デジタルな画像データを取り込む画像読み取り装置が知られている（例えば、下記特許文献１参照）。
【０００３】
この画像読み取り装置では、フイルムキャリアによって写真フイルムを搬送しながら、そこに記録された複数の画像コマを連続的にスキャンする。フイルムスキャンが終了すると、読み取られた画像コマは、ディスプレイの検定画面に表示される。オペレータは、この検定画面を見ながら、画像コマの読み取り状態を確認し、必要に応じて濃度補正やシャープネス補正などの各種の補正を行う。この検定画面では、例えば、１画面に６コマずつ画像が縮小表示される。オペレータは、検定を終了した後、プリント開始指示を行う。プリント開始指示がなされると、各コマの画像データに補正処理が施されてプリントデータが生成され、このプリントデータが出力機に送られて、露光及び現像が行われる。
【０００４】
ところで、ＣＣＤイメージセンサで、格子縞などの縞模様を含む画像を読み取る場合には、読み取った画像にモアレ（干渉縞）が発生することがある。モアレは、例えば、２つの規則的な格子状パターンが重なり合ったときにそれらのパターンの干渉によって生じる周期的な縞状のパターンである。ＣＣＤイメージセンサは、画素に対応するフォトダイオードがマトリックス状に規則的に配列されており、この配列パターンと、画像の縞模様とが干渉することによってモアレが発生する。
【０００５】
このモアレを回避する方法としては、ローパスフイルタ等を使用し、フォトダイオードの配列パターンにより決定される空間周波数（ナイキスト周波数）に対し、より高い空間周波数の解像力を落とす方法が知られている。しかし、ローパスフイルタを使用すると、ナイキスト周波数以下の空間周波数部分においても、解像力を落とすことになり、画質低下を招いてしまう。別の方法として、ＣＣＤ自体を多画素化して読み取る方法が考えられるが、この方法では、ローパスフイルタのような不具合は発生しない代わりに、ＣＣＤイメージセンサのコストアップを招くという問題がある。そこで、ＣＣＤ自体の解像度を上げることなく読み取り解像度を上げる方法として、画素ずらし方法が知られている（例えば、下記特許文献１参照）。この画素ずらし方法は、ＣＣＤイメージセンサを受光面と並行に僅かな量を移動させることにより異なる位置で複数回の読み取りを行い、それらを合成することにより、読み取り解像度を上げる。
【０００６】
【特許文献１】特開２０００−９２３５０号公報
【発明の開示】
【発明が解決しようとする課題】
【０００７】
モアレは、縞模様の空間周波数に起因して発生するため、ディスプレイに画像を縮小表示している状態では確認しにくく、プリント後にはじめて露見する場合が多い。プリント処理が開始されると、画像読み取り装置では、次の写真フイルムがフイルムキャリアにセットされてスキャンが開始されるため、プリント後にモアレが露見した場合には、改めて、写真フイルムをセットし直して再スキャンを実行しなければならない。こうした作業は面倒であり作業効率の悪化を招く。このため、プリント処理が開始される前に、モアレを発見できる対策が要望されていた。
【０００８】
本発明は、プリント処理の開始前に、読み取った画像コマのモアレを発見できる画像読み取り装置を提供することを目的とする。
【課題を解決するための手段】
【０００９】
本発明の画像読み取り装置は、写真フイルムに記録された画像コマを光電的に読み取る光電変換手段と、この光電変換手段によって得られた画像データに基づいて前記画像コマの縮小画像を表示するディスプレイとを備えた画像読み取り装置において、前記画像データに基づいて前記画像コマをプリントしたときにプリント上にモアレが発生するか否かを前記ディスプレイ上で確認するために、前記ディスプレイに表示された前記縮小画像の中から選択された画像コマについて、１００％の整数倍の表示倍率で拡大表示させる拡大表示指示手段と、拡大表示した画像コマにモアレが発生している場合に、当該画像コマについて、前記光電変換手段によるモアレ回避スキャンの実行を指示する再読み取り実行指示手段とを備えたことを特徴とする。
【００１０】
前記拡大表示指示手段及び再読み取り実行指示手段は、例えば、前記ディスプレイに表示される操作画面内に設けられる操作ボタンである。
【００１１】
前記拡大表示は、予め大きさが決められた表示枠内に指定された画像コマを部分的に表示することにより行われるものであり、前記表示枠内に最初に表示される領域を、前記拡大表示がなされる前に指定する領域指定手段が設けられる。
【００１２】
前記領域指定手段は、例えば、前記操作画面に表示され、前記縮小画像の画面の一部を指定するポインタである。
【００１３】
ディスプレイには、複数の画像コマについて前記縮小画像が並べて配列される検定画面が表示され、この検定画面から選択された画像コマについて拡大表示指示が行われると、前記表示枠及び前記再読み取り実行指示手段が含まれるモアレ確認画面がディスプレイに表示される。
【００１４】
前記光電変換手段は、その受光面と平行な２次元面内で移動自在に取り付けられており、前記モアレ回避スキャンでは、前記光電変換手段を移動させることにより異なる複数の位置で読み取りを行い、各回の読み取りで得られた複数の画像データが合成される。
【００１５】
前記モアレ確認画面には、前記光電変換手段の移動量または画素ずらし回数を指定する指定部が設けられる。
【発明の効果】
【００１６】
本発明の画像読み取り装置は、写真フイルムに記録された画像コマをプリントしたときにプリント上にモアレが発生する否かをディスプレイ上で確認するために、ディスプレイに表示された前記縮小画像の中から選択された画像コマについて、１００％の整数倍の表示倍率で拡大表示させる拡大表示指示手段と、拡大表示した画像コマにモアレが発生している場合に、当該画像コマについて、前記光電変換手段によるモアレ回避スキャンの実行を指示する再読み取り実行指示手段とを備えたから、プリント処理の開始前に、読み取った画像コマのモアレを発見できる画像読み取り装置を提供することができる。
【発明を実施するための最良の形態】
【００１７】
図１に示すデジタルラボシステム１０は、フイルムスキャナ１１、制御装置１２、出力装置１３から構成される。出力装置１３は、レーザー露光ユニット１６とプロセッサ１７から構成されている。フイルムスキャナ１１は、写真フイルム１８に記録されたコマを光電的に読み取り、これをデジタルな画像データとして制御装置１２に出力する。
制御装置１２は、例えば、パーソナルコンピュータやワークステーションなどをベースに構成されており、デジタルラボシステム１０全体を制御するコントローラとして機能する。また、制御装置１２には、画像処理部１４が設けられている。画像処理部１４は、前記画像データに対して、濃度補正、シャープネス補正などの各種の画像補正処理を施して、プリントデータを作成する。
【００１８】
レーザー露光ユニット１６は、印画紙に対して、プリントデータに基づいてレーザー光を照射して走査露光する。プロセッサ１７は、露光済みの印画紙に対して現像処理を施して写真プリントを出力する。
【００１９】
フイルムスキャナ１１は、ＬＥＤユニット２１、拡散ボックス２３、フイルムキャリア２４、レンズユニット２６、ＣＣＤイメージセンサ２７等からなる。
【００２０】
ＬＥＤユニット２１は、Ｂ（青），Ｇ（緑），Ｒ（赤）の各色に発光する、複数個のＬＥＤがマトリックス状に配列されている。また、ＬＥＤユニット２１には、写真フイルム１８の傷や写真フイルム１８に付着したゴミを検出するためのＩＲ（赤外線）光を発光するＬＥＤが設けられている。ＬＥＤユニット２１は、ＬＥＤドライバ２５によって駆動され、各色の光を選択的に発光する。
【００２１】
各色の光は拡散ボックス２３を通って写真フイルム１８に照射される。拡散ボックス２３は、内面が反射面で形成されるとともに、出口に拡散板が配置されており、入射した光を反射面で反射させ、拡散板で拡散させることにより、読み取りコマの画面内の光量ムラを低減する。拡散ボックス２３から出射した光は、フイルムキャリア２４の搬送路上の読み取り位置に向けて投光される。
【００２２】
フイルムキャリア２４は、写真フイルム１８の幅に対応した搬送路を構成するガイド板や、写真フイルム１８を搬送する搬送ローラ３０などからなり、装填された写真フイルム１８を、読み取り位置に供給する。搬送ローラ３０は、駆動モータ２８によって駆動される。フイルムキャリア２４には、読み取り位置の上流側に写真フイルム１８に記録された各コマを検出するコマ検出センサ２９が設けられている。このコマ検出センサ２９によって検出された最初のコマ位置を基準に、写真フイルム１８の搬送量及び停止位置が制御されて、コマ送りが行われる。駆動モータ２８は、制御装置１２によって、回転量が制御される。制御装置１２は、コマ検出センサ２９からのコマ検出信号に基づいてコマ数をカウントする。
【００２３】
写真フイルム１８を透過した透過光は、レンズユニット２６によって、ＣＣＤイメージセンサ２７の受光面に結像される。レンズユニット２６及びＣＣＤイメージセンサ２７は、光軸方向に進退自在に設けられており、フォーカスモータ３２によって移動される。これらの位置を移動することにより焦点調節がなされる。
【００２４】
ＣＣＤイメージセンサ２７は、ＣＣＤドライバ３１によって駆動される。ＣＣＤイメージセンサ２７は、受光した画像光を光電変換して、受光レベルに応じたアナログの電気信号をＡ／Ｄコンバータ３４に出力する。Ａ／Ｄコンバータ３４は、アナログの電気信号をデジタル信号に変換して、画像データとして制御装置１２へ出力する。ＣＣＤイメージセンサ２７は、解像度の変更が可能であり、全画素で読み取りを行って本画像データを取得するファインスキャンと、このファインスキャンよりも低画素で読み取りを行うプレスキャンを行う。プレスキャンは、ファインスキャンに先だって行われ、プレスキャンで読み取ったプレスキャンデータに基づいて、各画像コマの記録濃度が測定されて、ファインスキャンの読み取り条件（電荷蓄積時間など）が決定される。
【００２５】
また、ＣＣＤイメージセンサ２７は、読み取られた画像にモアレが発生するのを回避するモアレ回避スキャンを行う。モアレ回避スキャンは、異なる撮像位置で複数回のファインスキャンを行い、各ファインスキャンデータを、それら各々に含まれるモアレ成分が相殺されるように、前記各ファインスキャンデータを合成する。
【００２６】
上述したとおり、モアレは、読み取り対象となる画像に縞模様が含まれている場合に、その縞模様と、ＣＣＤイメージセンサの受光セルの配列パターンとの干渉によって発生する。モアレ回避スキャンでは、まず、初期位置で１回目のファインスキャンを行い、この後、ＣＣＤイメージセンサ２７を受光面と平行に移動させて、１回目と異なる撮像位置で２回目の読み取りを行い、１回目と２回目の複数のファインスキャンデータを合成する。これにより、前記干渉が抑制されて、モアレが除去される。
【００２７】
ＣＣＤイメージセンサ２７は、Ｘ−Ｙテーブル３６に取り付けられており、Ｘ−Ｙテーブル３６は、ＣＣＤイメージセンサ２７を、その受光面と平行な２次元平面内で移動自在に保持する。Ｘ−Ｙテーブル３６には圧電素子３７が設けられており、この圧電素子３７によってＣＣＤイメージセンサ２７が移動される。圧電素子３７は、圧電素子ドライバ３８によって駆動される。
【００２８】
制御装置１２は、ＣＰＵ４１，画像メモリ４２，画像処理部１４，ＲＡＭ４４，ＲＯＭ４５，ディスプレイ４７，操作部４８からなる。デジタルラボシステム１０は、ＧＵＩ（Graphical User Interface）を採用しており、ディスプレイ４７には、読み取った画像コマとともに、操作画面が表示される。操作部４８は、各種操作コマンドを入力するキーボード４８ａや、操作画面内の操作ボタンをクリックしたり、ディスプレイ４７に表示されるポインタを操作するマウス４８ｂなどからなる。オペレータは、操作画面及び操作部４８を通じて、デジタルラボシステム１０を操作する。
【００２９】
画像メモリ４２は、Ａ／Ｄコンバータ３４が出力する画像データを記憶するメモリである。画像処理部１４は、画像メモリ４２から画像データを読み出して、階調補正やシェーディング補正など各種の画像処理を施して、プリントデータを生成する。このプリントデータがレーザー露光ユニット１６に送られる。また、画像処理部１４は、読み取った画像コマのデータに基づいて、ディスプレイ４７に表示するための表示用画像データを生成する。
【００３０】
ＣＰＵ４１は、制御装置１２及びこの制御装置１２に接続されるデジタルラボシステム１０の各部をシーケンス制御する。ＲＯＭ４５には、ＣＰＵ４１が実行する各種制御プログラムや設定データが記憶されている。ＲＡＭ４４は、ＣＰＵ４１がプログラムを実行する際の作業用メモリである。
【００３１】
ファインスキャンが終了すると、画像処理部１４が読み取った各画像コマの縮小画像を生成し、これを図２に示す検定画面５１に表示する。検定画面５１には、読み取ったコマが、例えば、１画面に６コマずつ縮小表示される。オペレータは、各コマの縮小画像を見て、読み取り状態を確認する。そして、必要に応じて、各コマ毎に階調補正やシャープネス補正などの補正を行い、画像処理条件を設定する。
【００３２】
メインウインドウ５４は、６つの領域に区画されており、各領域に、読み取られたコマ５２ａ〜５２ｆの縮小画像が表示されるとともに、それら各コマ毎に、プリント枚数，色補正値（Ｃ，Ｍ，Ｙ），濃度補正値（Ｄ）を指定する指定ボックスが表示される。
【００３３】
各領域のいずれかには、カーソル５６が表示される。このカーソル５６を所望のコマの領域に合わせると、その画像コマについて、前記プリント枚数，色補正値（Ｃ，Ｍ，Ｙ），濃度補正値（Ｄ）の各値の変更が可能になる。図上、カーソル５６は、コマ５２ａに合っており、この状態で、例えば、キーボードから数値を入力すると、コマ５２ａの値が変更される。
【００３４】
メインウインドウ５４の下方には、ファンクションボタン６１ａ〜６１ｆと、検定確定ボタン６１ｇと、それらのさらに下方にシステム情報バー６２が設けられている。検定確定ボタン６１ｇは、検定終了後、プリント開始指示をするためのボタンであり、この検定確定ボタン６１ｇをクリックすると、各コマの画像データに対して、設定された処理条件に基づいて画像処理が施されてプリントデータが作成される。このプリントデータは、出力装置１３に送られる。出力装置１３は、受信したプリントデータに基づいてプリント処理を実行し、写真プリントを作成する。
【００３５】
システム情報バー６２は、主として、システムに関わる情報の表示や、それらの設定を行うための操作ボタンが設けられる領域である。システムに関わる情報としては、例えば、システムのステータスの表示や、プリンタにセットされているペーパの幅や、フイルムの送り方式に関する情報などがある。
【００３６】
ファンクションボタン６１ａ〜６１ｆは、キーボード４８ａ上のファンクションキーＦ１〜Ｆ６（図示せず）と対応しており、各ファンクションキーＦ１〜Ｆ６の並びに従って配列されている。
【００３７】
ファンクションキーＦ１〜Ｆ６は、周知のように、特定の機能を割り当てることができる専用キーであり、各ファンクションボタン６１ａ〜６１ｆには、各ファンクションキーＦ１〜Ｆ６と同一の機能が割り当てられている。各ファンクションボタン６１ａ〜６１ｆ上には、例えば、ファンクションボタン６１ｂには「回転」、ファンクションボタン６１ｅには「モアレ確認」というように、割り当てられた機能を表すタイトルが表示される。これらファンクションボタン６１ａ〜６１ｆに、頻繁に使用する機能を割り当てることにより、操作性を向上させている。
【００３８】
これらのファンクションボタン６１ａ〜６１ｆに割り当てられる機能は、操作画面の種類によって変更され、画面によっては、機能が割り当てられないボタンも存在する。この検定画面５１においては、ファンクションボタン６１ａ，６１ｆは、機能が割り当てられていない。
【００３９】
また、ファンクションボタン６１ｂには、画像コマを９０°ずつ回転させる回転機能が、ファンクションボタン６１ｃには、画像コマの拡大及び縮小倍率を指定する倍率指定機能、ファンクションボタン６１ｄには、シャープネス補正を行うシャープネス補正機能、ファンクションボタン６１ｅには、画像コマのモアレ確認機能がそれぞれ割り当てられている。
【００４０】
モアレ確認は、読み取ったコマをプリントしたときにモアレが発生するか否かをディスプレイ４７上で予め確認するために行われる。オペレータが、ファンクションボタン６１ｅをクリックした後、縮小画像の絵柄から判断して、モアレ発生が懸念されるコマ、例えば、格子縞のジャケットを着た人物が写っているコマ５２ａを、マウスのポインタ６６によって選択すると、図３に示すように、その画像コマを拡大表示するモアレ確認画面７１に切り替わる。
【００４１】
モアレ確認画面７１には、指定されたコマが拡大して表示される表示枠７２と、表示倍率指定ボックス７３と、ズラシ回数指定ボックス７４と、モアレ回避スキャン実行ボタン７６とが設けられている。モアレの性質上、モアレを確認し得る表示倍率としては、１００％を単位とした表示倍率が必要となるので、表示倍率指定ボックス７３では、１００％の表示倍率を下限として、２００％，３００％など、その整数倍の表示倍率が指定される。
【００４２】
ズラシ回数指定ボックス７４は、ＣＣＤイメージセンサ２７のズラシ回数を指定する。モアレは、ＣＣＤイメージセンサ２７の分解能と、撮像対象となる画像の空間周波数との相対的な関係によって発生する。モアレ回避スキャンでは、モアレを除去するために、ＣＣＤイメージセンサ２７の位置をずらして複数回のスキャンが行われるが、モアレを除去するためのズラシ回数は、画像の空間周波数に応じて変化する。１回のズラシ量は、例えば、ＣＣＤイメージセンサ２７のドットピッチ未満の移動量を単位として設定される。オペレータは、あるズラシ回数でモアレ回避スキャンを実行しても、モアレが除去されない場合には、このズラシ回数を変化させながら、モアレ回避スキャンを繰り返し実行する。モアレ回避スキャン実行ボタン７６は、モアレ回避スキャンの実行指示を行うボタンである。
【００４３】
表示枠７２の大きさは、予め決められており、この表示枠７２内に、ファインスキャンした画像が、指定された表示倍率で表示される。ファインスキャンした画像を、１００％以上の表示倍率で表示する場合、表示枠７２内に画像全体を収めることはできないため、画像の一部分が表示されることになる。表示枠７２内には、表示枠７２内に表示される領域を移動するためのスライダ７８が表示される。このスライダ７８を、マウスでクリックしてアクティブにした状態で、画面上を左右上下にドラッグすると、表示領域が移動する。これにより、画像内の確認したい部分を表示させることができる。
【００４４】
この表示枠７２に最初に表示される領域は、モアレ確認画面７１が表示される前に、予め検定画面５１で指定することができる。上述したとおり、モアレ確認画面７１には、検定画面５１において、ポインタ６６で指定されたコマが表示されるが、表示枠７２には、ポインタ６６によるコマの指定の際に１コマの画面内で指定された部位を中心とする一定領域が表示される。例えば、ポインタ６６で、コマ５２ａの人物の顔を指定すれば、顔を中心とした一定領域が、表示枠７２に表示される。また、洋服を指定すれば、洋服を中心とした一定領域が表示枠７２に表示される。コマ５２ａの場合には、モアレの懸念があるのは、格子縞の洋服の部分なので、オペレータが、検定画面５１においてポインタ６６でその部分を指定すれば、図３に示すように、指定した部分を中心とした領域が表示枠７２に表示される。
【００４５】
このように、ポインタ６６は、表示枠７２に表示させるコマを選択するコマ選択手段であるとともに、そのコマの画面のうち、表示枠７２に最初に表示する領域を指定する領域指定手段としても機能する。このポインタ６６によって、表示枠７２に最初に表示される領域が予め指定することができるから、コマを表示枠７２に表示させた後に、確認したい領域をスライダ７８を操作しながらサーチするといった煩雑な操作を省くことができる。表示枠７２の表示倍率は大きいので、所望の領域をサーチするまでの移動量は、最初に表示される部位によっては非常に大きなものとなるため、予め所望の領域を指定できることによる作業軽減効果は、体感的にも大きなものとなる。
【００４６】
以下、上記構成による作用について図４に示すフローチャートを参照しながら説明する。オペレータが、フイルムキャリア２４に写真フイルム１８をセットして、スキャン開始指示をすると、写真フイルム１８の給送が開始される。写真フイルム１８の１コマ目が読み取り位置に到達すると、オートフォーカス処理が実行されて焦点位置が調節される。この後、プレスキャンが行われて、そのプレスキャンデータに基づいて読み取り条件が決定される。この読み取り条件に基づいてファインスキャンが行われる。１コマのファインスキャンが終了した後、写真フイルム１８が１コマ分送られて、次のコマのスキャンが実行される。こうした手順が繰り返されて、例えば、写真フイルム１本分のコマが読み取られる。
【００４７】
複数コマ分（例えば、６コマ）のファインスキャンが終了すると、ディスプレイ４７に検定画面５１が表示される。オペレータは、この検定画面５１で、各コマを観察して、その読み取り状態を確認する。そして、濃度補正やシャープネス補正が必要なコマに対しては、その補正値を入力する。また、すべてのコマにモアレ発生の懸念が無い場合には、検定を終了し、プリント指示を与える。
【００４８】
モアレ発生が懸念されるコマが有る場合には、モアレ確認を行う。オペレータは、ファンクションボタン（モアレ確認ボタン）６１ｅをクリックするか、または、キーボードのファンクションキーＦ５を押下し、ポインタ６６で、例えば、コマ５２ａを選択する。コマ５２ａが選択されると、そのコマ５２ａを１００％の表示倍率で表示するモアレ確認画面７１が表示される。ファンクションボタン６１ｅのようなモアレ確認専用の操作ボタンを設けることで、モアレの確認を簡単な操作で行うことができる。
【００４９】
また、コマ指定の際に、コマ５２ａの画面のうち、例えば、最もモアレ発生が懸念される格子縞の洋服部分を指定すると、表示枠７２には、前記洋服部分を中心とした領域が表示される。このように、コマ５２ａの画面のうち、モアレ発生が懸念される部分を予め指定できるから、確認したい部分への迅速なアクセスが可能となる。
【００５０】
オペレータは、このモアレ確認画面７１で、モアレが発生したことを確認した場合には、モアレ回避スキャン実行ボタン７６をクリックする。モアレ回避スキャン実行ボタン７６がクリックされると、当該コマについて、モアレ回避スキャンが実行される。モアレ回避スキャンでは、初期位置で１回目のファインスキャンが行われた後、圧電素子３７を駆動することにより、ＣＣＤイメージセンサ２７を移動させた後、２回目のファインスキャンが行われ、それら２回分のファインスキャンデータが合成される。そして、合成された画像データが表示枠７２に拡大表示される。
【００５１】
オペレータは、このコマについて、モアレが発生しているかどうかを確認し、モアレが除去された場合には、検定画面５１に復帰し、プリント処理を実行する。また、１度モアレ回避スキャンを実行してもモアレが除去されない場合には、ズラシ回数指定ボックス７４でズラシ回数を変更して再度モアレ回避スキャンを実行し、表示枠７２でモアレが除去されたかどうかを確認する。モアレが除去されていない場合には、再度ズラシ回数を変えて、モアレ回避スキャンを実行する。モアレが除去されない場合には、こうした手順をズラシ回数が最大値に達するまで繰り返し行う。
【００５２】
このように、プリント処理を行う前の検定作業中に、モアレを確認でき、その時点でモアレ回避スキャンを実行できるようにしたから、プリント後にモアレを確認し再スキャンを行うといった作業の繁雑化が防止される。
【００５３】
なお、あるコマのモアレ確認を行った際に、そのコマの画像内容を記憶し、それ以後のスキャンにおいて、同様の模様が含まれるコマがあるかどうかを自動的に判断して、同様の模様が含まれるコマに対しては、オペレータの指示を待たずに、自動的にモアレ回避スキャンを実行させるようにしてもよい。この場合には、画像処理部１４が、読み取ったコマの画像内容を解析し、その内容と、モアレ確認を行ったコマの画像内容とを比較して、画像内容の類似を判定する。
【００５４】
上記実施形態では、仕上がった写真プリントにモアレが発生することがないように、プリント用の画像データの読み取りを行う際にモアレ回避スキャンを実行する例で説明したが、プリント用の画像データだけでなく、写真プリントや写真フイルムをデジタルデータ化（デジタイズ）する場合にモアレ回避スキャンを実行してもよい。近年、パーソナルコンピュータや大容量ストレージメディア（ＤＶＤなど）の普及に伴って、写真プリントや写真フイルムの保存や編集を目的とするデジタイズが盛んに行われている。こうしたデジタイズの際に、本発明を適用することにより、モアレの無い画像データの取り込みを簡単に行うことができる。
【図面の簡単な説明】
【００５５】
【図１】デジタルラボシステムの概略構成図である。
【図２】検定画面の説明図である。
【図３】モアレ確認画面の説明図である。
【図４】スキャン、モアレ確認、モアレ除去の手順を示すフローチャートである。
【符号の説明】
【００５６】
１０  デジタルラボシステム
１１  フイルムスキャナ
１２  制御装置
２７  ＣＣＤイメージセンサ
３７  圧電素子
５１  検定画面
６１ａ〜６１ｆ  ファンクションボタン
７１  モアレ確認画面
７２  表示枠
７６  モアレ回避スキャン実行ボタン
【図１】
2006074234.tif 000003
【図２】
2006074234.tif 000004
【図３】
2006074234.tif 000005
【図４】
2006074234.tif 000006